(57)【要約】【課題】  一般照明器具と常夜灯照明器具と非常用照明器具を兼用したコンパクトな照明器具を提供する。【解決手段】常用光源ユニットと常夜灯兼非常用ユニットと蓄電池を有し、通常点灯時は常用回路から供給される電力で前記常用光源ユニットを点灯し、常夜灯点灯時は常夜灯兼非常用回路から供給される電力で前記前記常夜灯兼非常用ユニット点灯させ、商用電源が遮断された非常時は前記蓄電池に蓄えたエネルギーを用いて前記常夜灯兼非常用光源ユニットを非常点灯させる。【選択図】図１
2020140784.tif 000002
【特許請求の範囲】
【請求項１】
常用光源ユニットと常夜灯兼非常用ユニットと蓄電池を有し、
通常点灯時は常用回路から供給される電力で前記常用光源ユニットを点灯し、常夜灯点灯時は常夜灯兼非常用回路から供給される電力で前記前記常夜灯兼非常用ユニット点灯させ、商用電源が遮断された非常時は前記蓄電池に蓄えたエネルギーを用いて前記常夜灯兼非常用光源ユニットを非常点灯させる照明器具。
【発明の詳細な説明】
【技術分野】
【０００１】
本発明は、照明装置に関する。
【背景技術】
【０００２】
従来、例えば一般照明として使用される常用光源は照明器具本体に着脱可能な長尺形状でアル。非常用光源は、略半球状のレンズ部材で構成され、常用光源の端部でかつ同列に配置され、照明器具本体に固定配置されている。（例えば、特許文献１参照）
通常、一部の一般照明器具を夜間常時点灯させ、常夜灯照明として使用していることが多い。そのため必要以上の明るさがあり常夜灯照明として適さない恐れがある。
【先行技術文献】
【特許文献】
【０００３】
【特許文献１】特開２０１６−９１９４７号公報
【発明の概要】
【発明が解決しようとする課題】
【０００４】
ところで非常用照明器具と常夜灯照明器具は、一般照明器具と同エリアの天井に設置されることが大半である。
【０００５】
また、非常用照明器具は、火災等の停電の際に、人々が避難できる照度を確保するための照明である。常夜灯照明器具は、夜間常時点灯し見廻り時の経路の確保や常用光源のブレーカを操作するのに必要な照度を確保するための照明器具である。非常用照明器具と常夜灯照明器具は、要求される照度も類似している。
【０００６】
これらから一般照明器具に常夜灯照明と非常用照明の機能を合わせた常夜灯兼非常用照明器具の存在が望ましい。
【０００７】
ところが常用光源と常夜灯光源と非常用光源が必要となるため、それぞれ点灯させる３種類の光源ユニットが必要であり、更に、非常点灯時に使用するバッテリも搭載する必要がある。
【０００８】
そのため同スペースに存在する他の一般照明器具より器具形状が大きくなる可能性があり、一般照明器具と合わせた照明器具の統一感を図ることが望ましい。
【０００９】
本発明は、前記した課題を解決するために考案したものであり、一般照明器具と常夜灯照明器具と非常用照明器具を兼用したコンパクトな照明器具を提供することを主な目的とする。
【課題を解決するための手段】
【００１０】
前記目的を達成するため、常用光源ユニットと常夜灯兼非常用ユニットと蓄電池を有し、
通常点灯時は常用回路から供給される電力で前記常用光源ユニットを点灯し、常夜灯点灯時は常夜灯兼非常用回路から供給される電力で前記前記常夜灯兼非常用ユニット点灯させ、商用電源が遮断された非常時は前記蓄電池に蓄えたエネルギーを用いて前記常夜灯兼非常用光源ユニットを非常点灯させる。
【発明の効果】
【００１１】
本発明によれば、一般照明器具と常夜灯照明器具と非常用照明器具を兼用したコンパクトな照明器具を提供することができる。
【図面の簡単な説明】
【００１２】
【図１】実施形態に係る照明装置の床方向から見た斜視図である。
【図２】実施形態に係る照明装置の床方向から見た分解斜視図である。
【図３】実施形態に係る照明装置の左側面図である。
【図４】実施形態に係る照明装置の左断面側面図である。
【図５】実施形態に係る照明装置の正面図である。
【図６】実施形態に係る照明装置の底面図である。
【図７】実施形態に係る照明装置の常用光源ユニットを取り外した底面図である。
【図８】実施形態に係る照明装置の常用光源ユニットを取り外した斜視図である。
【図９】実施形態に係る照明装置の回路構成図である。
【図１０】実施形態に係る照明装置の常用光源点灯時の回路図である。
【図１１】実施形態に係る照明装置の常夜灯光源点灯時の回路図である。
【図１２】実施形態に係る照明装置の非常灯光源点灯時の回路図である。
【発明を実施するための形態】
【００１３】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１４】
本実施形態の照明装置は、図１〜図１２に示すように照明器具本体１０と、常用光源ユニット２０と、常夜灯兼非常用光源ユニット３０と、非常用蓄電池（以下、蓄電池４０という）で構成される。常夜灯としての機能を有するユニットと、非常用光源としての機能を有するユニットを１つの常夜灯兼非常用光源ユニットとしているため、コンパクトな形状で一般照明器具、常夜灯照明器具と非常用照明器具を兼用する照明器具を提供することができる。照明器具本体１０は天井材９０の下面（天井面）に図示しない吊ボルトなどにより固定される。常用光源ユニット２０は照明器具本体１０に着脱可能であり、交換時または清掃時を除く通常使用される状態では照明器具本体１０に取り付けられて使用される。
【００１５】
照明器具本体１０は、板金に曲げ加工を施したもので長尺且つ上面が天井材９０に接する平面の取付面１２ａを有し、下方向（天井材９０との対向側）が開口した逆凹部１４を有し、逆凹部１４の端縁から左右の外側且つ斜め上方向に向かって延出する傾斜部１６が設けられており、傾斜部１６左右どちらか一方には非常用光源ユニット３０を貫通できる貫通穴１６１が設けられている。また、取付面１２、逆凹部１４、傾斜部１６は照明器具本体１０の長尺方向の全体にわたり形成されている。尚、逆凹部１４の端縁から左右の外側且つ天井面方向とは逆の斜め下方向に向かって延出されていてもよい。
【００１６】
取付面１２には、天井面からの図示しない電源線を貫通させるための通線孔１７、図示しない吊ボルトを貫通させ照明器具本体１０を天井材９０に固定するための取付穴１８が設けられている。また、凹部１４内面の平面１２ｂには、蓄電池４０、電源接続端子台５０が取り付けられている。
【００１７】
常用光源ユニット２０は、常用光源ユニット２０の骨格となる取付板２１と、発光部材である複数個の常用ＬＥＤモジュール２２と、常用ＬＥＤモジュール２２を覆うように取付板２１に取り付けられるＬＥＤカバー２４と、常用ＬＥＤモジュール２２の発光を制御する電源装置２５を備える。
【００１８】
ＬＥＤモジュール２２は、長尺で矩形板状に形成された常用光源基板２３に実装されている。常用光源基板２３と電源装置２５は電線により電気的に接続され、電源装置２５と電源接続端子台５０は図示しない接続コネクタ２７により電気的に接続されている。
【００１９】
商用電源の常用回路より電源線から電源接続端子台５０を中継し電源装置２５に駆動電力が供給され、電源装置２５によりＬＥＤ点灯電力に変換して常用ＬＥＤモジュール２２を点灯させる。
【００２０】
回路構成は図９で説明する常用回路と常夜灯兼非常用回路の２回路存在し、常用回路は常用制御基板６０、常用光源基板６１と常用ＬＥＤモジュール２２で構成される常用光源ユニット２０があり、常用光源をＯＮ−ＯＦＦさせるスイッチ７０が設けられることが一般的である。
【００２１】
ＯＮ−ＯＦＦさせるスイッチが設けられていない常夜灯兼非常用回路は、常夜灯兼非常用制御基板３６、蓄電池４０、常夜灯兼非常用光源基板３３と常夜灯兼非常灯ＬＥＤモジュール３２で構成される常夜灯兼非常用光源ユニット３０がある。
【００２２】
常用光源点灯時は図１０で説明するスイッチ７０をＯＮにした場合、商用電源により常用制御基板６０を駆動させ、常用光源基板６１に電力供給し、接続コネクタを介して常用ＬＥＤモジュール２２を点灯させる。同時に商用電源から常夜灯兼非常用回路により、常夜灯兼非常用制御基板３６に駆動電力が供給され、常夜用兼非常用制御基板３６により変換された充電電力を蓄電池接続線３７で接続された蓄電池４０をトリクル充電等している。この時、常夜灯兼非常灯ＬＥＤモジュールは点灯しない。
【００２３】
常夜灯点灯時は図１１で説明するスイッチ７０で常用光源ユニット２０への駆動電力が遮断された場合、常夜灯兼非常用制御基板３６が感知し、常夜灯兼非常用光源ユニット３０を商用電源で駆動させ常夜灯兼非常灯ＬＥＤモジュール３２を点灯させる。この時も常夜用兼非常用制御基板３６により変換された充電電力で蓄電池４０をトリクル充電等している。
【００２４】
非常灯点灯時は図１２で説明する常用光源ユニット２０と常夜灯兼非常用光源ユニット３０に商用電源からの電力供給が遮断された場合、つまり火災等による停電時には蓄電池４０に蓄えたエネルギーを用いて蓄電池接続線３７で接続している常夜灯兼非常用制御基板３６を駆動させ、常夜灯兼非常用光源基板３３に電力供給し、常夜灯兼非常用光源３２を非常点灯させる。
【００２５】
常夜灯兼非常用光源ユニット３０の外郭は、不燃材（金属、ガラスなど）で構成されている。収納ボックス３１、常夜灯兼非常用ＬＥＤモジュール３２、常夜灯兼非常用光源基板３３、レンズカバー３４、ガラスカバー３５、常夜灯兼非常用制御基板３６、図示しない蓄電池接続線３７、化粧カバー３８、取付板３９を備える。
【００２６】
収納ボックス３１は、常夜灯兼非常用光源ユニット３０を構成する電気部品および光学部品を収納する樹脂製で断面形状が略Ｈであり、上面側（天井面側）と下面側（床面側）が形成できるよう仕切られている箱形形状である。
【００２７】
常夜灯兼非常用制御基板３６は、長尺で矩形板状のプリント基板で電子部品などを実装し、通常及び常夜灯点灯時は蓄電池４０をトリクル充電等し、また常用電源遮断時には蓄電池に蓄えたエネルギーで常夜灯兼非常用ＬＥＤモジュール３２の発光を制御するための電子回路構成しており、収納ボックス内の仕切り上面側に配置されている。
【００２８】
常夜灯兼非常用光源基板３３は、長尺で矩形板状のプリント基板で複数個の常夜灯兼非常用ＬＥＤモジュール３２を常用光源ユニット２０に並列配置、且つ前後（長手）方向に略直線配置で実装しており、収納ボックス内の仕切り下面側にＬＥＤモジュール３２実装面が床面側になるよう配置されている。常夜灯兼非常用光源基板３３と常夜灯兼非常用制御基板３６は、収納ボックス３１の上下の仕切りを貫通する図示しない電線により電気的に接続されている。
【００２９】
レンズカバー３４は、常夜灯兼非常用光源基板３３に複数個実装された常夜灯兼非常用ＬＥＤモジュール３２を個々に覆うようにレンズ３４１を形成し、常夜灯兼非常用ＬＥＤモジュール３２から放射される光の方向（または強さなど）を制御する。常夜灯兼非常用光源基板３３の照射面側を覆うよう収納ボックス３１内の仕切り下面側に固定されている。尚、レンズ３４１は複数個のＬＥＤモジュール３２を纏めて覆ってもよい。
【００３０】
レンズカバー３４は、透光性に優れた合成樹脂材料（例えば、ポリスチレン樹脂など）で形成されることが望ましい。レンズ３４１の形状は、凹非球面形状の入射面から非常用ＬＥＤモジュール３２からの光を入射させ、凸非球面形状の出射面から出射させる広配光レンズであることが望ましい。
【００３１】
化粧カバー３８は、不燃性の鋼鈑で収納ボックス３１の上面側を除く面を覆う略箱形状で、収納ボックス３１に配置したガラスカバー３５が床面方向から見えるよう底面３８１には略長方形の光路孔３８２が形成されている。また、化粧カバー３８の外郭の色は、照明器具本体１０の外郭色と合わせることで一体感を高めることができる。
【００３２】
ガラスカバー３５は、長尺で矩形板状の平板であり収納ボックス３１の下面側の光路孔３８２を塞ぐよう配置されている。透光性に優れ破損時の安全性を考慮し割れにくい強化ガラス製であるが望ましい。また、ガラス破損時に危険なガラス破片の飛散を防ぐため製品外郭面のガラスカバーには飛散防止フィルムを貼り付けることが考えられる。
【００３３】
取付蓋３９は、収納ボックス３１を覆った化粧カバー３８の開口側でネジなどにより締結し、収納ボックス３１の上面側の蓋をする。また、収納ボックス３１の上面開口側を塞ぐ蓋部３９１を照明器具本体１０方向に延出させた蓋締結部３９２を形成することで照明器具本体１０とネジなどによる締結を可能にする。
【００３４】
収納ボックス３１と化粧カバー３８の常用光源側の長手立壁面には図示しない通線溝３１１と図示しない通線溝３８３が同位置に形成されており、常夜灯兼非常用制御基板３６と電源接続端子台５０を電気的に接続する図示しない常夜灯兼非常用ユニット電源線５１、および常夜灯兼非常用制御基板３６と蓄電池４０を電気的に接続する蓄電池接続線３７の常夜灯兼非常用光源ユニット３０外への引き出しを可能にしている。尚、蓄電池接続線３７の先端には図示しない接続コネクタ３３２が接続されており蓄電池の取り付け・取り外しを容易にしている。
【００３５】
蓄電池４０は、例えば、複数個の円筒形状ニッケル水素電池を合成樹脂材料などの電気絶縁性を有する材料で覆い纏め、各種電池の正極と負極を電気的に接続された引出線４１が引き出されている。尚、引出線４１の先端は図示しない接続コネクタ４２が接続されている。
【００３６】
また、蓄電池４０は経時劣化により常夜灯兼非常用光源を設定照度・設定時間点灯されるための電池性能が失われるため、定期的に交換が必要な消耗部品である。そのことから蓄電池４０の取付位置は、常用光源ユニット２０を取り外した状態で目視確認できる照明器具本体１０の凹部１４内面の平面１２ｂに押え金具４３にて固定することで蓄電池４０の交換作業を容易にする。
【００３７】
本実施形態の照明器具が上述のよう構成されれば、一般照明器具と常夜灯照明器具と非常用照明器具を兼ね備えたコンパクトな照明器具を提案することができる。
【符号の説明】
【００３８】
１    従来技術の照明装置１
２    本考案技術の照明装置２
１００  照明器具
１０    照明器具本体
１２    照明器具本体１０の取付面
１２ａ  照明器具本体１２の取付面外
１２ｂ  照明器具本体１２の取付面内
１４    照明器具本体１０の逆凹部
１６    照明器具本体１０の傾斜部
１６１  傾斜部１６に形成した貫通穴
１７    照明器具本体１０に形成した通線孔
１８    照明器具本体１０に形成した取付穴
２０    常用光源ユニット
２１    常用光源ユニット２０の取付板
２２    常用光源ユニット２０の常用ＬＥＤモジュール
２３    常用ＬＥＤモジュール２２を実装する常用光源基板
２４    常用光源ユニット２０のＬＥＤカバー
２５    常用光源ユニット２０の電源装置
２７    常用光源ユニット２０の常用接続コネクタ
３０    常夜灯兼非常用光源ユニット
３１    常夜灯兼非常用光源ユニット３０の収納ボックス
３１１  収納ボックス３１の通線溝
３２    常夜灯兼非常用光源ユニット３０のＬＥＤモジュール
３３    常夜灯兼非常用ＬＥＤモジュール２３を実装する常用光源基板
３３２  蓄電池接続線３７先端の接続コネクタ
３４    常夜灯兼非常用光源ユニット３０のレンズカバー
３４１  レンズカバー３４のレンズ部
３５    常夜灯兼非常用光源ユニット３０のガラスカバー
３６    常夜灯兼非常用光源ユニット３０の常夜灯兼非常用制御基板
３７    常夜灯兼非常用光源ユニット３０の蓄電池接続線
３８    常夜灯兼非常用光源ユニット３０の化粧カバー
３８２  化粧カバー３８の光路孔
３８３  化粧カバー３８の通線溝
３９    常夜灯兼非常用光源ユニット３０の取付蓋
３９１  取付蓋３９の蓋部
３９２  取付蓋３９１を延出させて蓋締結部
４０    蓄電池
４１    蓄電池４０の引出線
４２    引出線４１先端の接続コネクタ
４３    蓄電池４０の押え金具
５０    電源接続端子台
５１    常夜灯兼非常用光源ユニット電源線
７０    スイッチ
９０    天井材
９２    電源線
９４    吊ボルト
【図１】
2020140784.tif 000003
【図２】
2020140784.tif 000004
【図３】
2020140784.tif 000005
【図４】
2020140784.tif 000006
【図５】
2020140784.tif 000007
【図６】
2020140784.tif 000008
【図７】
2020140784.tif 000009
【図８】
2020140784.tif 000010
【図９】
2020140784.tif 000011
【図１０】
2020140784.tif 000012
【図１１】
2020140784.tif 000013
【図１２】
2020140784.tif 000014